(57)【特許請求の範囲】
【請求項１】
インバータ回路と不揮発性メモリとを備え、前記インバータ回路から供給される電圧により放電灯を点灯する放電灯点灯装置において、
前記放電灯の点灯状態が正常状態か異常状態かを検出して正常異常検出信号を出力する保護検出回路と、
前記放電灯のフィラメント状態がフィラメント有り状態かフィラメント無し状態かを検出してフィラメント有無信号を出力するフィラメント検出回路と、
前記放電灯の点灯中に前記保護検出回路からの正常異常検出信号を入力し、正常異常検出信号が異常状態を示す場合に前記インバータ回路の発振を停止して前記放電灯の点灯を停止させ、前記インバータ回路の発振を停止して前記放電灯の点灯を停止させた後、前記フィラメント検出回路からのフィラメント有無信号を入力し、入力したフィラメント有無信号がフィラメント有り状態を示す場合に、前記放電灯が寿命末期状態であると判断し、前記放電灯が寿命末期状態であることを示す寿命末期情報を前記不揮発性メモリに記憶するマイクロコンピュータと、
前記マイクロコンピュータに電圧を供給する制御電源回路と
を備えたことを特徴とした放電灯点灯装置。
【請求項２】
前記マイクロコンピュータは、
前記不揮発性メモリに前記放電灯の点灯時間を累積して累積点灯時間として記憶し、次回の前記放電灯の正常点灯時に、前記不揮発性メモリに寿命末期情報が記憶されている場合に、前記累積点灯時間をリセットすることを特徴とする請求項１記載の放電灯点灯装置。
【請求項３】
インバータ回路と不揮発性メモリとを備え、前記インバータ回路から供給される電圧により放電灯を点灯する放電灯点灯装置において、
前記放電灯の点灯状態が正常状態か異常状態かを検出して正常異常検出信号を出力する保護検出回路と、
前記放電灯のフィラメント状態がフィラメント有り状態かフィラメント無し状態かを検出してフィラメント有無信号を出力するフィラメント検出回路と、
前記放電灯の点灯中に前記保護検出回路からの正常異常検出信号と前記フィラメント検出回路からのフィラメント有無信号とを入力し、正常異常検出信号が異常状態を示す場合と、フィラメント有無信号がフィラメント無し状態を示す場合との少なくとも何れかの場合に前記インバータ回路の発振を停止して前記放電灯の点灯を停止させ、前記インバータ回路の発振を停止して前記放電灯の点灯を停止させた後、前記フィラメント検出回路からフィラメント有無信号を入力し、入力したフィラメント有無信号がフィラメント無し状態を示す場合、フィラメント無し状態が継続した時間を累積して累積フィラメント無し時間として前記不揮発性メモリに記憶し、前記累積フィラメント無し時間に基づいて、前記放電灯が抜去されている状態と前記放電灯のフィラメントが断線している状態との何れの状態が発生したかを判断し、前記放電灯が抜去されている状態を示す放電灯抜去情報と前記放電灯のフィラメントが断線している状態を示すフィラメント断線情報とのいずれかを前記不揮発性メモリに記憶するマイクロコンピュータと、
前記マイクロコンピュータに電圧を供給する制御電源回路と
を備えることを特徴とする放電灯点灯装置。
【請求項４】
前記マイクロコンピュータは、
前記累積フィラメント無し時間が所定の時間を越えた場合、前記放電灯のフィラメントが断線している状態であると判断し、前記累積フィラメント無し時間が前記所定の時間以下の場合、前記放電灯が抜去されている状態であると判断することを特徴とする請求項３に記載の放電灯点灯装置。
【請求項５】
前記マイクロコンピュータは、
前記不揮発性メモリに前記放電灯の点灯時間を累積して累積点灯時間として記憶し、次回の前記放電灯の正常点灯時に、前記不揮発性メモリにフィラメント断線情報が記憶されている場合、前記累積点灯時間をリセットすることを特徴とする請求項３または４に記載の放電灯点灯装置。
【請求項６】
前記マイクロコンピュータは、
次回の前記放電灯の正常点灯時に、前記不揮発性メモリに放電灯抜去情報が記憶されている場合、前記累積点灯時間をリセットしないことを特徴とする請求項３〜５のいずれかに記載の放電灯点灯装置。
【請求項７】
インバータ回路を備え、前記インバータ回路から供給される電圧により放電灯を点灯する放電灯点灯装置において、
前記放電灯の点灯時間を累積した累積点灯時間を記憶する不揮発性メモリと、
前記放電灯の点灯状態が正常状態か異常状態かを検出して正常異常検出信号を出力する保護検出回路と、
前記放電灯のフィラメント状態がフィラメント有り状態かフィラメント無し状態かを検出してフィラメント有無信号を出力するフィラメント検出回路と、
前記不揮発性メモリに前記放電灯の点灯時間を累積して前記累積点灯時間として記憶し、前記放電灯の点灯中に前記保護検出回路からの正常異常検出信号を入力し、正常異常検出信号が異常状態を示す場合に前記インバータ回路の発振を停止して前記放電灯の点灯を停止させ、前記インバータ回路の発振を停止して前記放電灯の点灯を停止させた後、前記フィラメント検出回路からのフィラメント有無信号がフィラメント有り状態を示す場合、前記放電灯が寿命末期であると判断し、前記累積点灯時間をリセットするためのリセット指示情報を前記不揮発性メモリに記憶するマイクロコンピュータと、
前記マイクロコンピュータに電圧を供給する制御電源回路と
を備えることを特徴とする放電灯点灯装置。
【請求項８】
インバータ回路を備え、前記インバータ回路から供給される電圧により放電灯を点灯する放電灯点灯装置において、
前記放電灯の点灯時間を累積した累積点灯時間を記憶する不揮発性メモリと、
前記放電灯の点灯状態が正常状態か異常状態かを検出して正常異常検出信号を出力する保護検出回路と、
前記放電灯のフィラメント状態がフィラメント有り状態かフィラメント無し状態かを検出してフィラメント有無信号を出力するフィラメント検出回路と、
前記不揮発性メモリに前記放電灯の点灯時間を累積して前記累積点灯時間として記憶し、前記放電灯の点灯中に前記保護検出回路からの正常異常検出信号と前記フィラメント検出回路からのフィラメント有無信号とを入力し、正常異常検出信号が異常状態を示す場合と、フィラメント有無信号がフィラメント無し状態を示す場合との少なくとも何れかの場合に前記インバータ回路の発振を停止して前記放電灯の点灯を停止させ、前記インバータ回路の発振を停止して前記放電灯の点灯を停止させた後、前記フィラメント検出回路からのフィラメント有無信号がフィラメント無し状態を示す場合、フィラメント無し状態が継続した時間を累積して累積フィラメント無し時間として前記不揮発性メモリに記憶し、前記累積フィラメント無し時間が所定の時間を越えた場合、前記放電灯がフィラメント断線状態であると判断し、前記累積点灯時間をリセットするためのリセット指示情報を前記不揮発性メモリに記憶するマイクロコンピュータと、
前記マイクロコンピュータに電圧を供給する制御電源回路と
ことを特徴とする放電灯点灯装置。
【請求項９】
前記マイクロコンピュータは、
次回の前記放電灯の正常点灯時に、前記不揮発性メモリにリセット指示情報が記憶されている場合、前記累積点灯時間をリセットすることを特徴とする請求項７または８に記載の放電灯点灯装置。
【請求項１０】
インバータ回路と不揮発性メモリとマイクロコンピュータと前記マイクロコンピュータに電圧を供給する制御電源回路とを備え、前記インバータ回路から供給される電圧により放電灯を点灯する放電灯点灯装置の放電灯点灯方法において、
保護検出回路が、前記放電灯の点灯状態が正常状態か異常状態かを検出して正常異常検出信号を出力する正常異常検出信号出力工程と、
フィラメント検出回路が、前記放電灯のフィラメント状態がフィラメント有り状態かフィラメント無し状態かを検出してフィラメント有無信号を出力するフィラメント有無信号出力工程と、
マイクロコンピュータが、前記放電灯の点灯中に前記正常異常検出信号出力工程により出力された正常異常検出信号を入力し、正常異常検出信号が異常状態を示す場合に前記インバータ回路の発振を停止して前記放電灯の点灯を停止させる放電灯点灯停止工程と、
マイクロコンピュータが、前記放電灯点灯停止工程による前記放電灯の点灯の停止後、前記フィラメント有無信号出力工程により出力されたフィラメント有無信号を入力し、入力したフィラメント有無信号がフィラメント有り状態を示す場合に、前記放電灯が寿命末期状態であると判断し、前記放電灯が寿命末期状態であることを示す寿命末期情報を前記不揮発性メモリに記憶する放電灯異常状態記憶工程と
を備えたことを特徴とした放電灯点灯方法。
【発明の詳細な説明】
【技術分野】
【０００１】
この発明は、例えば、放電灯を点灯する放電灯点灯装置および放電灯点灯方法に関する。特に、放電灯の状態を判別し、判別した状態に基づいて累積点灯時間をリセットする機能を有する放電灯点灯装置に関する。
【背景技術】
【０００２】
従来では、施設用照明器具のメモリの累積点灯時間を参照して点灯経過にともない光束を補償するように点灯手段を制御する手段を備えた回路において、メモリにおける前記累積点灯時間のデータをリセットする手段として、寿命末期をむかえた蛍光ランプを新品の蛍光ランプなどに交換した場合に前記メモリをリセットするというのが一般的である。
【０００３】
また、特開平１１−２８３７８３号公報では、蛍光ランプの累積点灯時間のデータをリセットする手段として、蛍光ランプの累積点灯時間を記録するメモリを備える点灯回路において、蛍光ランプの未接続状態（すなわち、ランプ取り外し状態）で、蛍光ランプの未接続状態が所定の時間を超えたときに、メモリに記録された累積点灯時間のデータをリセットする、という手段が開示されている。
【特許文献１】特開平１１−２８３７８３号公報
【発明の開示】
【発明が解決しようとする課題】
【０００４】
従来では、蛍光ランプの未接続状態が所定の時間を超えたときに、累積点灯時間のデータをリセットするという手段であるため、蛍光ランプの掃除など一時的に蛍光ランプが外され、掃除終了後に再度同じランプを装着された場合でも、累積点灯時間のデータをリセットしてしまうという課題がある。ランプ清掃後に再度同じランプを装着した場合に累積点灯時間をリセットしてしまうと、古いランプであるにも関わらず、放電灯点灯装置は新品ランプと判断してしまい出力を低下させるため、必要とする照度よりも低くなってしまうという不具合が発生するという課題がある。
【０００５】
また、蛍光ランプのフィラメントが断線した場合のような長時間の未接続状態については、特開平１１−２８３７８３号公報の発明の実施の形態に記述されているように、想定されていない。
【０００６】
さらに、交流電源を落とさずにランプの交換がされることが前提条件であり、電源ＯＮ状態でランプを外し、電源ＯＦＦ状態で新品ランプを装着された場合は、次回電源ＯＮ時に累積点灯時間をリセットできないという課題がある。
【０００７】
この発明は、蛍光ランプの状態を正しく判定することができる放電灯点灯装置を提供することを目的とする。
【課題を解決するための手段】
【０００８】
本発明に係る放電灯を点灯する放電灯点灯装置は、
放電灯の正常異常状態を検出して正常異常検出信号を出力する保護検出回路と、
放電灯のフィラメント有無状態を検出してフィラメント有無信号を出力するフィラメント検出回路と、
放電灯の点灯中に前記保護検出回路からの正常異常検出信号と前記フィラメント検出回路からのフィラメント有無信号とを入力し、正常異常検出信号が異常状態を示す場合と、フィラメント有無信号がフィラメント無し状態を示す場合との少なくとも何れかの場合が発生した場合に放電灯の点灯を停止させ、放電灯の点灯の停止後、前記フィラメント検出回路からのフィラメント有無信号をチェックしてフィラメント有無信号が示すフィラメント有無状態に基づいて、放電灯の異常状態を判別するマイクロコンピュータと、
前記マイクロコンピュータが判別した結果を記憶する不揮発性メモリと、
を備えたことを特徴とする。
【発明の効果】
【０００９】
本発明に係る放電灯点灯装置によれば、例えば、放電灯の点灯の停止後、フィラメント検出回路からのフィラメント有無信号をチェックしてフィラメント有無信号が示すフィラメント有無状態に基づいて放電灯の異常状態を判別するマイクロコンピュータを備えているので、放電灯の点灯の停止の原因が、保護検出回路からの正常異常検出信号とフィラメント検出回路からのフィラメント有無信号とのいずれによるものであるかが正しく判定することができる。また、フィラメント無し状態の継続時間を検出することにより、フィラメントの断線か放電灯の抜去かを判断することが可能になる。
【発明を実施するための最良の形態】
【００１０】
実施の形態１．
実施の形態１を図１〜図５を用いて、以下に説明する。
図１は、実施の形態１における放電灯点灯装置１００の全体構成回路を示す全体構成回路図である。図１は、マイクロコンピュータで制御する場合の放電灯点灯装置の回路ブロックを示した図である。
【００１１】
図１において、放電灯点灯装置１００は、電源整流回路１、アクティブフィルタ回路２、インバータ回路３、負荷回路４、ドライブ回路５、マイクロコンピュータ６、制御電源回路７、インダクタＬ１  １０、コンデンサＣ１  １１、ランプ１２（放電灯）、保護検出回路１３、フィラメント検出回路１４、不揮発性メモリ２０を備えている。
【００１２】
電源整流回路１（整流回路部）は、電源電流の整流、及び、ノイズの除去を行う回路である。電源整流回路１は、例えば、ダイオードブリッジにより構成する。
【００１３】
アクティブフィルタ回路２（アクティブフィルタ回路部）は、電源電圧波形に沿ってスイッチングを行うことにより、電源電圧を所定の直流電圧に昇圧すると共に入力電流波形を整形して力率を改善する回路である。アクティブフィルタ回路２は、電源整流回路１から脈流電圧を入力し、直流電圧を出力する。
【００１４】
インバータ回路３（インバータ回路部）は、アクティブフィルタ回路２で昇圧された直流電圧を、ドライブ回路５から出力される逆極性の電圧でＦＥＴ（電界効果型トランジスタ）Ｑ１、及び、ＦＥＴＱ２を交互にスイッチングすることにより、高周波電圧を発生させる回路である。インバータ回路３は、アクティブフィルタ回路２で昇圧された直流電圧の供給を受け、これを高周波交流電圧に変換して、変換した高周波交流電圧を負荷回路４に供給する。インバータ回路３は、ＦＥＴＱ１  ８、ＦＥＴＱ２  ９を有する。
【００１５】
負荷回路４（負荷回路部）は、インバータ回路３が出力した高周波交流電圧を入力し、インダクタＬ１、コンデンサＣ１の共振を利用して、ランプ１２（放電灯）を点灯させる回路である。
【００１６】
ドライブ回路５は、マイクロコンピュータ６から出力される矩形波電圧を、直列に接続されたＮＰＮトランジスタ、及び、ＰＮＰトランジスタで形成されるトーテムポール出力で、インダクタの１次側に印加して、互いに極性の異なる前記インダクタの２次側から出力される電圧により、インバータ回路のＦＥＴＱ１，Ｑ２を交互にスイッチングさせる回路である。ドライブ回路５は、マイクロコンピュータ６が出力するドライブ信号を入力し、入力したドライブ信号を増幅して、ＦＥＴＱ１及びＱ２をスイッチングする信号を生成する。ＦＥＴＱ１及びＱ２は、ドライブ回路から出力された信号を入力し、スイッチング動作を行う。ここで、ＦＥＴＱ１に入力する信号と、ＦＥＴＱ２に入力する信号とは、逆極性の電圧を有するので、ＦＥＴＱ１と、ＦＥＴＱ２とは、交互にスイッチングする。これにより、インバータ回路３は、高周波電圧を発生させる。
【００１７】
制御電源回路７は、商用電源ＡＣから全波整流された電圧を、安定した直流電圧に変換する回路である。
【００１８】
保護検出回路１３（保護検出回路部）は、ランプ電圧の変化を検出する回路で、ランプ寿命末期等のランプ電圧の上昇を検出する回路である。
【００１９】
フィラメント検出回路１４（フィラメント検出回路部）は、ランプ１２のフィラメント２箇所を検出するものである。
【００２０】
不揮発性メモリ２０は、情報を保持するメモリである。不揮発性メモリ２０は、情報を書き込むことができ、あとで書き込んだ情報を読み出すことができる。また、電源を切っても、書き込んだ情報を保持しているので、再び電源を入れれば、電源を切る前に書き込んだ情報を読み出すことができる。不揮発性メモリ２０は、例えば、ＥＥＰＲＯＭなどを用いて構成する。ＥＥＰＲＯＭは、情報を保持するメモリであり、情報を書き込むことができ、あとで書き込んだ情報を読み出すことができる。
【００２１】
不揮発性メモリ２０は、ランプ異常状態等についての情報を記憶する。
【００２２】
図２は、実施の形態１における放電灯点灯装置１００の詳細回路図である。図２を用いて、保護検出回路１３とフィラメント検出回路１４について説明する。
【００２３】
保護検出回路１３は、２つの抵抗９１、９２を直列に接続した回路であり、ランプ異常状態を検出する回路である。ここで、ランプ異常状態とは、放電灯点灯装置１００に装着したランプ１２が、寿命末期などにより、エミレス点灯するなどした状態のことをいう。保護検出回路１３は、ランプ異常状態であるか否かを示す正常異常検出信号９３をマイクロコンピュータ６に出力する。ランプ点灯中に、ランプ寿命末期等の異常放電が生じると保護検出回路１３の正常異常検出信号９３の電圧が上昇する。マイクロコンピュータ６は、この正常異常検出信号９３の電圧を監視し、規定の電圧を超えた場合に異常ランプと判断し、インバータ回路３の発振を停止させる。
【００２４】
フィラメント検出回路１４は、２つの抵抗９４、９５を直列に接続した回路であり、ランプ１２のフィラメントがあるか否かを検出する回路である。
【００２５】
ここで、フィラメントがあるとは、正常なフィラメントを有するランプ１２が放電灯点灯装置１００に装着されている状態をいう。ランプ１２が装着されていなかったり、装着されていてもフィラメントが切れている場合には、フィラメント検出回路１４は、電圧０（Ｌ状態）のフィラメント無し状態を示すフィラメント有無信号９６を出力し、マイクロコンピュータ６は、フィラメントがないこと（フィラメント断線）を検出する。フィラメント検出回路１４は、フィラメントがある場合は、電圧０以外（Ｈ状態）のフィラメント有り状態を示すフィラメント有無信号９６を出力し、マイクロコンピュータ６は、フィラメントがあることを検出する。
【００２６】
以下に、フィラメント検出回路１４と保護検出回路１３がランプ１２の異常状態を検出してインバータ回路３の発振を停止させる場合を説明する。
【００２７】
フィラメント検出回路１４では、ランプ点灯中にランプ１２を抜去した場合、フィラメント検出回路１４の検出電圧が低下する。マイクロコンピュータ６は、この電圧を監視し、規定の電圧を下回った場合にランプ１２が抜去されたと判断し、インバータ回路３の発振を停止させる。あるいは、ランプ点灯中にランプを抜去した場合には、サージ電圧が発生し、保護検出回路１３で異常状態を検出して、マイクロコンピュータ６が、インバータ回路３の発振を停止させる場合もある。
【００２８】
また、フィラメント検出回路１４では、ランプフィラメント断線の場合、フィラメント検出回路１４の検出電圧が低下する。マイクロコンピュータ６は、この電圧を監視し、規定の電圧を下回った場合にランプフィラメント断線と判断し、インバータ回路３の発振を停止させる。あるいは、ランプフィラメント断線の場合には、サージ電圧が発生し、保護検出回路１３で異常状態を検出して、マイクロコンピュータ６が、インバータ回路３の発振を停止させる場合もある。
【００２９】
このように、ランプ点灯中の保護検出回路１３とフィラメント検出回路１４の情報だけでは、ランプの異常状態が、ランプ寿命末期、ランプ抜去、フィラメント断線等のいずれであるかの判断がつかない場合がある。
【００３０】
図３は、放電灯点灯装置１００におけるマイクロコンピュータ６のハードウェア構成を示す図である。
【００３１】
図３において、マイクロコンピュータ６は、プログラムを実行するＣＰＵ９１１を備えている。ＣＰＵ９１１は、バス９１２を介してＲＯＭ９１３、ＲＡＭ９１４、ＥＥＰＲＯＭ９１６と接続され、これらのハードウェアデバイスを制御する。
【００３２】
ＲＡＭ９１４は、揮発性メモリであり、例えば、主記憶装置に利用される。
【００３３】
ＲＯＭ９１３は、読み出し専用記憶装置である。ＲＯＭ９１３は、例えば、後述する正常異常信号検出処理部６１、フィラメント検出処理部６２、累積点灯時間リセット処理部６３、フィラメント無し時間カウント部６４等のプログラムを記憶している。
【００３４】
また、ＣＰＵ９１１は、例えば、ＲＯＭ９１３が記憶した正常異常信号検出処理部６１、フィラメント検出処理部６２、累積点灯時間リセット処理部６３、フィラメント無し時間カウント部６４等のプログラムを読み出し、処理を実行する。
【００３５】
ＥＥＰＲＯＭ９１６は、上述した不揮発性メモリ２０である。ＥＥＰＲＯＭ９１６には、例えば、後述する状態情報２０１、累積点灯時間２０２、累積フィラメント無し時間２０３、リセット指示情報２０４（実施の形態２で述べる）等が記憶される。また、フラッシュメモリ等の不揮発性メモリが接続されていてもよい。
【００３６】
図４は、実施の形態１に係る放電灯点灯装置１００の機能ブロック図を示す図である。
【００３７】
図４において、マイクロコンピュータ６は、正常異常信号検出処理部６１、フィラメント検出処理部６２、累積点灯時間リセット処理部６３、フィラメント無し時間カウント部６４を機能ブロックとして備えている。
【００３８】
不揮発性メモリ２０は、ランプの異常状態を記録する状態情報２０１、ランプの点灯時間を累積して記録する累積点灯時間２０２、ランプのフィラメントが継続して無い状態を示すフィラメント無し時間を累積カウントして記録する累積フィラメント無し時間２０３を備えている。ランプのフィラメント無し時間は、ランプのフィラメントが断線した場合と清掃等のためにランプ自体を抜去した場合等に、カウントされる。
【００３９】
保護検出回路１３は、上述したように、ランプの正常異常状態を検出して、正常異常検出信号９３を出力する。フィラメント検出回路１４は、上述したように、ランプのフィラメントの有無状態を検出してフィラメント有無信号９６を出力する。ドライブ回路５は、上述したように、マイクロコンピュータ６からの指示により、インバータ回路３の発振を停止させる。
【００４０】
正常異常信号検出処理部６１は、処理装置を用いて、保護検出回路１３から正常異常検出信号９３を入力して、電圧が所定以上の値を示す場合には、ランプが異常であると判断し、ランプが異常状態の場合は、ランプの点灯を停止するための信号をドライブ回路５に出力する。
【００４１】
フィラメント検出処理部６２は、処理装置を用いて、フィラメント検出回路１４からフィラメント有無信号９６を入力して、電圧の値に基づいて、ランプのフィラメント有無状態を判定して、ランプのフィラメント有無状態に応じた処理を行う。フィラメント検出処理部６２のランプのフィラメント有無状態に応じた処理については、後述する。また、フィラメント検出処理部６２は、不揮発性メモリ２０に記録した累積フィラメント無し時間２０３に基づいて、ランプの抜去とランプのフィラメント断線との何れの状態が発生したかを判断する。フィラメント検出処理部６２は、清掃等のためにランプが抜去されている場合を示す放電灯抜去情報と、ランプのフィラメントが断線している場合を示すフィラメント断線情報とのいずれかを状態情報２０１として不揮発性メモリ２０に記録する。
【００４２】
累積点灯時間リセット処理部６３は、処理装置を用いて、ランプの点灯時間を累積して累積点灯時間２０２として不揮発性メモリ２０に記憶する。また、累積点灯時間リセット処理部６３は、不揮発性メモリ２０に記録されたランプの状態情報２０１を参照して、累積点灯時間２０２をリセットする（０にする）かリセットしないかを判定する。
【００４３】
本実施の形態にかかる放電灯点灯装置１００は、ランプの累積点灯時間２０２を参照して点灯経過にともないランプの光束を補償するように点灯手段を制御する手段を備えている。そのため、累積点灯時間２０２は、ランプが新品に交換された場合等には、リセットする必要がある。ここで、ランプが新品に交換される場合とは、ランプ寿命末期により新品に交換した場合と、フィラメント断線により新品に交換した場合とが考えられる。つまり、累積点灯時間リセット処理部６３は、不揮発性メモリ２０の状態情報２０１の情報を参照し、状態情報２０１が寿命末期情報とフィラメント断線情報のいずれかの場合に、累積点灯時間２０２をリセットする。累積点灯時間リセット処理部６３は、不揮発性メモリ２０の状態情報２０１の情報を参照し、状態情報２０１がランプ清掃等のためのランプ抜去情報の場合には、再度同じランプが装着されるとして累積点灯時間２０２をリセットしない。
【００４４】
フィラメント無し時間カウント部６４は、処理装置を用いて、ランプのフィラメント無し状態が継続した時間をカウントして累積フィラメント無し時間２０３を不揮発性メモリ２０に記録する。
【００４５】
図５は、実施の形態１に係る放電灯点灯方法の処理を示すフロー図である。図５を用いて、実施の形態１に係る放電灯点灯装置の放電灯点灯方法について説明する。
【００４６】
＜正常異常検出信号出力工程＞
保護検出回路１３が、ランプの正常異常状態を検出するための正常異常検出信号９３を出力する（Ｓ１０１）。
＜フィラメント有無信号出力工程＞
フィラメント検出回路１４が、ランプのフィラメント有無状態を検出するためのフィラメント有無信号９６を出力する（Ｓ１０２）。
【００４７】
＜放電灯点灯停止工程＞
正常異常信号検出処理部６１は、ランプの点灯中に保護検出回路１３からの正常異常検出信号９３を入力する。正常異常信号検出処理部６１は、処理装置を用いて、正常異常検出信号９３が異常状態を示す場合にランプの点灯を停止させる（Ｓ１０３）。ランプの点灯を停止させるとは、すなわち、正常異常信号検出処理部６１が、処理装置を用いて、ドライブ回路５の動作を停止させ、インバータ回路３の発振を停止させることである。
【００４８】
また、あるいは、フィラメント検出処理部６２が、ランプの点灯中にフィラメント検出回路１４からのフィラメント有無信号９６を入力する。フィラメント検出処理部６２は、処理装置を用いて、フィラメント有無信号９６がフィラメント無し状態を示す場合にランプの点灯を停止させる（Ｓ１０３）。
【００４９】
ランプの点灯を停止させるとは、すなわち、フィラメント検出処理部６２が、処理装置を用いて、ドライブ回路５の動作を停止させ、インバータ回路３の発振を停止させることである。
【００５０】
＜放電灯異常状態判別工程＞
ランプの点灯の停止後、フィラメント検出処理部６２は、処理装置を用いて、フィラメント検出回路１４から入力したフィラメント有無信号９６をチェックする（Ｓ１０４）。
【００５１】
ここで、インバータ発振停止時のランプフィラメントの検出は、図２に示す回路図より、整流電圧を、抵抗１５、インダクタ１０、ランプフィラメント、抵抗１６、ランプフィラメント、フィラメント検出回路１４の閉ループを検出することにより可能である。すなわち、フィラメント検出回路１４の閉ループは、ランプが装着されフィラメントが２個ある場合には、フィラメント検出回路１４の出力電圧はＨ状態（電圧０以外）となり、ランプがない、または、フィラメントが１本でも断線している場合は、Ｌ状態（電圧０）となるので、フィラメントを検出することができる。
【００５２】
フィラメント有無信号９６がフィラメント有り状態を示す場合は、ランプが装着されフィラメントが２個あることを示していることになるため、フィラメント検出処理部６２は、ランプの異常状態が寿命末期状態であると判断する（Ｓ１０５）。
【００５３】
また、ランプの点灯の停止後、フィラメント検出処理部６２は、処理装置を用いてフィラメント検出回路１４から入力したフィラメント有無信号９６を定期的にチェックして（Ｓ１０４）、フィラメント有無信号９６がフィラメント無し状態を示す場合には、フィラメント無し時間カウント部６４が、ランプのフィラメント無し状態が継続した時間をカウントして累積フィラメント無し時間２０３を不揮発性メモリ２０に記録する（Ｓ１０７）。
【００５４】
フィラメント検出処理部６２は、累積フィラメント無し時間２０３が所定の時間を越えたか越えていないかをチェックする（Ｓ１０８）。
【００５５】
ここで、インバータ発振停止後にフィラメント無し状態を示す場合は、フィラメントが無い状態で放電灯点灯装置１００が通電されている時間をカウントして（累積フィラメント無し時間２０３）、所定の時間以上であればフィラメント断線ランプ、所定の時間以下であればランプ清掃と判断することができる。なぜなら、数分程度の短い時間のフィラメント無し状態は、ランプ清掃等と判断することができ、フィラメント断線のような放置されている時間が長いものは、フィラメント断線ランプと判断することができるからである。なお、所定の時間とは、例えば、１０分程度の時間を表すのが好適である。また、フィラメント無し状態の累積時間を不揮発性メモリ２０に記録することにより、途中で電源をＯＦＦされた場合でも、次回ＯＮ時に累積してカウントすることができる。
【００５６】
また、所定の時間とは、１０分程度に限られるわけではなく、放電灯点灯装置の設置場所、設置施設、管理方法等の条件を考慮して、他の好適な所定の時間を決定してもよい。
【００５７】
フィラメント検出処理部６２は、累積フィラメント無し時間２０３が所定の時間以上の場合、ランプがフィラメント断線状態と判断する（Ｓ１０９）。
【００５８】
フィラメント検出処理部６２は、累積フィラメント無し時間２０３が所定の時間以上でない場合、ランプがランプ清掃等のための抜去状態であると判断する（Ｓ１１１）。
【００５９】
＜放電灯異常状態記憶工程＞
フィラメント検出処理部６２は、ランプが寿命末期であると判断した場合は、不揮発性メモリ２０の状態情報２０１に寿命末期を示す寿命末期情報を記録する（Ｓ１０６）。フィラメント検出処理部６２は、ランプがフィラメント断線と判断した場合は、不揮発性メモリ２０の状態情報２０１にフィラメント断線を示すフィラメント断線情報を記録する（Ｓ１１０）。フィラメント検出処理部６２は、ランプが抜去状態と判断した場合は、不揮発性メモリ２０の状態情報２０１に放電灯抜去を示す放電灯抜去情報を記録する（Ｓ１１２）。
【００６０】
累積点灯時間リセット処理部６３は、不揮発性メモリ２０の状態情報２０１が寿命末期情報である場合とフィラメント断線情報である場合とに、次回の正常ランプ点灯時に不揮発性メモリ２０に記録されたランプの累積点灯時間をリセットする（Ｓ１１３）。累積点灯時間リセット処理部６３は、不揮発性メモリ２０の状態情報２０１が放電灯抜去情報の場合には、次回の正常ランプ点灯時に不揮発性メモリ２０に記録されたランプの累積点灯時間をリセットしない（何もしない：Ｓ１１４）。
【００６１】
以上の図５におけるマイクロコンピュータ６及びその機能ブロックの処理動作は、処理装置等のハードウェア資源を用いることにより実現される。
【００６２】
以上のように、本実施の形態の放電灯点灯装置１００によれば、ランプの点灯の停止後に新品のランプに交換した場合とランプ清掃等の後再度同じランプを装着した場合とを適正に判別することができるという効果を奏する。また、本実施の形態の放電灯点灯装置１００によれば、マイクロコンピュータ６が判別したランプの状態情報を記憶する不揮発性メモリ２０を備えているので、電源ＯＦＦ状態で新品のランプに交換した場合でも不揮発性メモリ２０の情報に基づいて適正に累積点灯時間２０２をリセットできるという効果を奏する。
【００６３】
すなわち、本実施の形態における放電灯点灯装置では、寿命末期ランプ、フィラメント断線ランプ、及び、ランプ清掃によるランプ抜去状態を区別することができ、かつ、不揮発性メモリ２０にその情報（寿命末期情報、フィラメント断線情報、ランプ抜去情報）を記録することにより、点灯停止となったランプを電源ＯＮ時に交換することはもちろんのこと、電源ＯＦＦ時に交換しても、必ず累積点灯時間をリセットすることができるという効果を奏する。
【００６４】
また、ランプ清掃後に再度同じランプを装着した場合には、累積点灯時間をリセットしないことができるという効果を奏する。
【００６５】
実施の形態２．
実施の形態２について、図６から図９を用いて説明する。
【００６６】
図６は、実施の形態２に係る放電灯点灯装置１００の機能ブロック図を示す図である。図６において、実施の形態１と同一の機能及び動作を示す機能ブロックには、同一の符号を付し、その説明を省略する。
【００６７】
図６において、実施の形態１との相違点は、不揮発性メモリ２０に状態情報２０１に代えてリセット指示情報２０４を備えたことである。
【００６８】
リセット指示情報２０４は、「リセットする」（ＯＮ）あるいは「リセットしない」（ＯＦＦ）の情報を記憶する。
【００６９】
実施の形態１では、フィラメント検出処理部６２が不揮発性メモリ２０の状態情報２０１に記憶する情報は、寿命末期情報とフィラメント断線情報とランプ抜去情報とのいずれかである。
【００７０】
実施の形態２では、フィラメント検出処理部６２が、ランプの状態が寿命末期情報とフィラメント断線情報とのいずれかの場合であると判断した場合は累積点灯時間をリセットする情報としてリセット指示情報２０４を「ＯＮ」にし、また、ランプの状態がランプ抜去情報であると判断した場合は累積点灯時間をリセットしない情報としてリセット指示情報２０４を「ＯＦＦ」にする。この場合、不揮発性メモリ２０のリセット指示情報２０４は、例えば、１ビットの情報を保持し、リセットする情報の場合には「１」を保持し、リセットしない情報の場合には「０」を保持するようにしてもよい。
【００７１】
図７は、実施の形態２に係る放電灯点灯方法の処理を示すフロー図である。
【００７２】
図７を用いて、実施の形態２に係る放電灯点灯装置の放電灯点灯方法について説明するが、実施の形態１と同じ処理については同一の符号を付し、その説明を省略する。
【００７３】
図７において、放電灯点灯停止工程後（ランプの点灯の停止後）、フィラメント検出回路１４からのフィラメント有無信号９６がフィラメント有り状態を示す場合、フィラメント検出処理部６２は、ランプが寿命末期であると判断し（Ｓ１０５）、ランプの累積点灯時間をリセットするための不揮発性メモリ２０のリセット指示情報２０４を「ＯＮ」にする（Ｓ７０６）。
【００７４】
放電灯点灯停止工程後（ランプの点灯の停止後）、フィラメント検出回路１４からのフィラメント有無信号９６がフィラメント無し状態を示す場合、フィラメント無し時間カウント部６４は、フィラメント無し状態が継続した累積フィラメント無し時間２０３をカウントして不揮発性メモリ２０に記録する（Ｓ１０７）。フィラメント検出処理部６２は、不揮発性メモリ２０に記録した累積フィラメント無し時間２０３が所定の時間を越えた場合、ランプがフィラメント断線であると判断し（Ｓ１０９）、ランプの累積点灯時間をリセットするための不揮発性メモリ２０のリセット指示情報２０４を「ＯＮ」にする（Ｓ７１０）。フィラメント検出処理部６２は、不揮発性メモリ２０に記録した累積フィラメント無し時間２０３が所定の時間を越えていない場合、ランプが抜去状態であると判断し（Ｓ１１１）、ランプの累積点灯時間をリセットするための不揮発性メモリ２０のリセット指示情報２０４を「ＯＮ」にしない（何もしない：Ｓ７１２）。
【００７５】
累積点灯時間リセット処理部６３は、不揮発性メモリ２０のリセット指示情報２０４が「ＯＮ」である場合に、次回の正常ランプ点灯時に不揮発性メモリ２０に記録されたランプの累積点灯時間２０２をリセットする（Ｓ７１３）。累積点灯時間リセット処理部６３は、不揮発性メモリ２０のリセット指示情報２０４が「ＯＦＦ」の場合には、次回の正常ランプ点灯時に不揮発性メモリ２０に記録されたランプの累積点灯時間２０２をリセットしない（何もしない：Ｓ７１４）。
【００７６】
図８は、実施の形態２における放電灯点灯装置１００の動作を示す詳細フロー図である。図８を用いて、実施の形態２における放電灯点灯装置１００の動作を詳しく説明する。以下に述べる図８の説明では、マイクロコンピュータ６を動作主体にして説明するが、より具体的な動作主体は、実施の形態１で述べたとおりである。
【００７７】
まず、放電灯点灯装置１００の電源が投入される（Ｓ８００）。
【００７８】
マイクロコンピュータ６は、不揮発性メモリ２０のリセット指示情報２０４を読み出す（Ｓ８０１）。
【００７９】
マイクロコンピュータ６は、フィラメント検出回路１４が出力するフィラメント有無信号９６に基づいて、フィラメントの有無を判別する（Ｓ８０２）。
【００８０】
Ｓ８０２において、フィラメント無し状態の場合は、ランプはあるがフィラメント断線ランプである場合と、ランプ抜去の場合とのいずれかの状態のままで電源ＯＮされたことを示しており、Ｓ８１６の処理へ行く。このＳ８１６以降の処理の詳細については後述する。
【００８１】
Ｓ８０２において、フィラメント有り状態の場合は、放電灯点灯装置１００は、正常ランプがあるものと仮定して、ランプの予熱を始動する（Ｓ８０３）。Ｓ８０４からＳ８１１の処理は、正常点灯の動作であり、マイクロコンピュータ６は、Ｓ８０４からＳ８１１のループ動作を繰り返す。
【００８２】
放電灯点灯装置１００は、不揮発性メモリ２０から累積点灯時間２０２を読み出し（Ｓ８０４）、点灯経過にともないランプの光束を補償するように読み出した累積点灯時間２０２に見合った出力に設定する（Ｓ８０５）。
【００８３】
マイクロコンピュータ６は、ランプ点灯中、ランプの点灯時間を累積してカウントし、不揮発性メモリ２０に累積点灯時間２０２として書き込む（Ｓ８０６）。
【００８４】
マイクロコンピュータ６は、リセット指示情報２０４があるか（リセット指示情報２０４がＯＮか）を判別する（Ｓ８０７）。
【００８５】
Ｓ８０７において、リセット指示情報２０４がある場合（リセット指示情報２０４がＯＮの場合）、マイクロコンピュータ６は、不揮発性メモリ２０の累積点灯時間２０２をリセットする（Ｓ８０９）。さらに、マイクロコンピュータ６は、不揮発性メモリ２０のリセット指示情報２０４を解除（リセット指示情報２０４をＯＦＦ）にして（Ｓ８１０）、Ｓ８０４の処理へ戻る。これにより、リセット指示情報２０４がＯＮのときは、正常ランプ点灯時に累積点灯時間２０２をリセットすることができる。
【００８６】
Ｓ８０７において、リセット指示情報２０４が無い場合（リセット指示情報２０４がＯＦＦの場合）、不揮発性メモリ２０の累積点灯時間２０２をリセットすることなく、点灯され続ける。マイクロコンピュータ６は、ランプ点灯中に、フィラメント検出回路１４が出力するフィラメント有無信号９６に基づいて、フィラメントの有無を判別する（Ｓ８０８）。
【００８７】
Ｓ８０８において、ランプ点灯中に、フィラメント無し状態が検出された場合は、マイクロコンピュータ６は、インバータ回路３の発振を停止してランプの点灯が停止する（Ｓ８１２）。
【００８８】
Ｓ８０８において、ランプ点灯中に、フィラメント有り状態が検出された場合は、マイクロコンピュータ６は、保護検出回路１３が出力する正常異常検出信号９３に基づいて、保護検出回路１３の正常異常検出信号９３の電圧は正常電圧かを判別する（Ｓ８１１）。
【００８９】
保護検出回路１３が異常状態を示す場合は、マイクロコンピュータ６は、インバータ回路３の発振を停止してランプの点灯が停止する（Ｓ８１２）。
【００９０】
保護検出回路１３が正常状態の場合は、Ｓ８０４の処理に戻り、ランプの正常点灯が継続する。
【００９１】
次に、Ｓ８１２のインバータ回路３の発振停止後（すなわち、ランプの点灯停止後）の処理について説明する。
【００９２】
マイクロコンピュータ６は、ランプの点灯停止後、フィラメント検出回路１４が出力するフィラメント有無信号９６に基づいて、フィラメントの有無を判別する（Ｓ８１３）。ここで、インバータ発振停止時のランプフィラメントの検出は、図２に示す回路図より、整流電圧を、抵抗１５、インダクタ１０、ランプフィラメント、抵抗１６、ランプフィラメント、フィラメント検出回路１４の閉ループを検出することにより可能である。すなわち、フィラメント検出回路１４の閉ループは、ランプが装着されフィラメントが２個ある場合には、フィラメント検出回路１４の出力電圧はＨ状態となり、ランプがない、または、フィラメントが１本でも断線している場合は、Ｌ状態となるので、フィラメントを検出することができる。
【００９３】
Ｓ８１３において、フィラメント有り状態の場合は、マイクロコンピュータ６は、寿命末期ランプと判断し（Ｓ８１４）、電源ＯＮ状態でのランプ交換、または、次回電源ＯＮ時のランプ正常点灯時に累積点灯時間２０２をリセットするように不揮発性メモリ２０のリセット指示情報２０４をＯＮに記録する（Ｓ８１５）。次に、マイクロコンピュータ６は、Ｓ８９１でフィラメントの有無をチェックして、ランプがはずされたかをチェックする（Ｓ８９１）。Ｓ８９１において、フィラメント有り状態（ランプがはずされていない状態）の場合はフィラメント無し状態（ランプがはずされた状態）を検出するまでループする。次に、マイクロコンピュータ６は、Ｓ８９２でフィラメントの有無をチェックして、ランプが装着されたかをチェックする（Ｓ８９２）。Ｓ８９２において、マイクロコンピュータ６は、ランプの装着を検出すると、Ｓ８０３へ戻る。すなわち、Ｓ８９１、Ｓ８９２の処理により、電源ＯＮの状態でランプ交換されたことがわかり、その後、Ｓ８０３へ戻り、ランプが正常点灯する。
【００９４】
また、Ｓ８９３、Ｓ８９４に示すタイミングで、ランプ交換中に、電源がＯＦＦされる場合がある。その場合はＳ８００に戻ることになる。ここで、ランプが交換されていなければ、寿命末期ランプが装着されているため、Ｓ８１１でＮＯになり、Ｓ８９１、Ｓ８９２の動作を再び実行する。ランプが正常なランプ（新品ランプ）に交換されていれば、累積点灯時間２０２がリセットされ（Ｓ８０９）、かつ、ランプが正常点灯する。
【００９５】
Ｓ８１３において、フィラメント無し状態の場合は、マイクロコンピュータ６は、ランプのフィラメント無し時間が継続する時間を累積してカウントするためのフィラメント無し計時カウンタを０にして（初期化して）、不揮発性メモリ２０の累積フィラメント無し時間２０３を０にする（初期化する）（Ｓ８１５）。
【００９６】
マイクロコンピュータ６は、フィラメントなし計時カウンタを動作させる（Ｓ８１６）。
【００９７】
次に、マイクロコンピュータ６は、フィラメント検出回路１４が出力するフィラメント有無信号９６に基づいて、フィラメントの有無を判別する（Ｓ８１８）。フィラメント無し状態の場合は、マイクロコンピュータ６は、フィラメントなし計時カウンタでカウントした時間を、定期的に不揮発性メモリ２０の累積フィラメント無し時間２０３に書き込み（Ｓ８１９）、フィラメントを検出するまでループする。
【００９８】
ここで、Ｓ８９５に示すタイミングで、Ｓ８１８とＳ８１９のループ中（すなわち、累積フィラメント無し時間カウント中）に、電源がＯＦＦされる場合がある。その場合はＳ８００に戻ることになる。
【００９９】
Ｓ８１８とＳ８１９のループ中（すなわち、累積フィラメント無し時間カウント中）に、Ｓ８９５で電源がＯＦＦされＳ８００でＯＮされ、かつ、Ｓ８０２においてフィラメントが無い場合は、フィラメント断線ランプがそのまま装着されている場合か、あるいは、清掃のためにランプ抜去中の場合かである。この場合は、累積フィラメント無し時間は不揮発性メモリ２０の累積フィラメント無し時間２０３に記憶されているため、電源ＯＦＦ時の値から継続してカウントすることができる。Ｓ８０２でフィラメント無しを検出した場合にＳ８１６へ処理がジャンプするが、その理由は、累積フィラメント無し時間２０３の値を継続してカウントするためである。
【０１００】
また、Ｓ８１８とＳ８１９のループ中（すなわち、累積フィラメント無し時間カウント中）に、Ｓ８９５で電源がＯＦＦされＳ８００でＯＮされ、かつ、Ｓ８０２でフィラメント有り状態の場合は、電源ＯＮ時にランプ清掃のためランプを抜去した後電源ＯＦＦ時の清掃終了後に同じランプを装着した場合と、フィラメント断線状態で累積フィラメント無し時間カウント中に電源をＯＦＦして新品のランプに交換した場合とがある。
【０１０１】
電源ＯＮ時にランプ清掃のためランプを抜去した後電源ＯＦＦ時の清掃終了後に同じランプを装着した場合は、Ｓ８０２でフィラメント有り状態となり、不揮発性メモリ２０の累積点灯時間２０２が維持されたまま、ランプは正常点灯する。
【０１０２】
フィラメント断線状態で累積フィラメント無し時間カウント中に電源をＯＦＦして新品のランプに交換した場合は、考慮していない。それは、本実施の形態では、電源の一分岐に多数の器具（ランプ）が接続されるため、フィラメント断線後に即時消灯（電源ＯＦＦ）し、ランプを交換することはほとんど無いと推定できるからである。電源をＯＦＦしてランプを交換するとしても、少なくとも交換（電源ＯＦＦ）までに１０分以上は要すると考えられる。したがって、フィラメント断線後に１０分以内に電源をＯＦＦにしてランプを交換することは希であり、本実施の形態ではこのような場合は考慮していない。
【０１０３】
マイクロコンピュータ６は、Ｓ８１８でフィラメントを検出すると、不揮発性メモリ２０の累積フィラメント無し時間２０３が所定の時間以上かそうでないかを判別する（Ｓ８２０）。
【０１０４】
累積フィラメント無し時間２０３が所定の時間以上でない場合は、マイクロコンピュータ６は、何もせずにＳ８０２に処理が戻る。すなわち、ランプ抜去状態と判断して（Ｓ８２３）、累積点灯時間２０２をリセットしないようにリセット指示情報はＯＦＦのままとなる。
【０１０５】
累積フィラメント無し時間２０３が所定の時間以上の場合は、マイクロコンピュータ６は、フィラメント断線ランプと判断し（Ｓ８２１）、Ｓ８１８とＳ８１９とのループ時間中の電源ＯＮ状態でのランプ交換の後に累積点灯時間２０２をリセットするように、または、Ｓ８９５の電源ＯＦＦ後の次回電源ＯＮ時のランプ正常点灯時に累積点灯時間２０２をリセットするように、不揮発性メモリ２０のリセット指示情報２０４をＯＮに記録して（Ｓ８２２）、Ｓ８０３に戻る。
【０１０６】
以上の図７、図８におけるマイクロコンピュータ６の各機能ブロックの処理動作及びマイクロコンピュータ６の処理動作は、処理装置等のハードウェア資源を用いることにより実現される。
【０１０７】
従来の放電灯点灯装置では、ランプ（放電灯）の累積点灯時間を参照して点灯経過にともないランプの光束を補償するように点灯手段を制御する手段を有しているにもかかわらず、寿命末期状態のランプと、ランプ清掃後再度同じランプが装着された状態のランプと、フィラメントが断線した状態のランプとの判断が可能ではないために、正しくランプの累積点灯時間をリセットすることができないという課題があった。
【０１０８】
本実施の形態の放電灯点灯装置１００では、寿命末期状態のランプと、ランプ清掃後再度同じランプが装着された状態のランプと、フィラメントが断線した状態のランプとのランプの状態を判別することが可能であり、累積点灯時間２０２のリセットを適正に行うことができるという効果を奏する。また、本実施の形態の放電灯点灯装置１００では、電源ＯＮ状態でランプを外し、電源ＯＦＦ状態で新品ランプを装着した場合でも、次回電源ＯＮ時に適正に累積点灯時間をリセットすることができるという効果を奏する。
【０１０９】
以上の処理について、以下にまとめる。
【０１１０】
上述したように、ランプ点灯時にランプ寿命末期、ランプ抜去、フィラメント断線等が発生し、インバータ回路の発振が停止した後、ランプフィラメントを検出することにより、ランプフィラメントがあれば、寿命末期ランプと判断することができる。
【０１１１】
上述の寿命末期ランプと判断された場合には、不揮発性メモリ２０にその情報を書き込み、ランプ交換後、または、次回電源ＯＮ時のランプ点灯時に累積点灯時間２０２をリセットする。
【０１１２】
また、インバータ発振停止後にランプフィラメントがない場合は、ランプの抜去、または、フィラメント断線と判断できる。ランプの抜去、または、フィラメント断線と判断した場合は、ランプフィラメントがない状態で通電されている時間をカウントし、所定の時間以上であればフィラメント断線ランプ、所定の時間以下であればランプ清掃と判断する。このようにすることで、ランプ清掃のような数分程度の短い時間のランプフィラメントなし状態は、累積点灯時間をリセットせずに、フィラメント断線のような放置されている時間が長いものは、フィラメント断線ランプと判断し、不揮発性メモリ２０にその情報を書き込み、ランプ交換後、または、次回電源ＯＮ時のランプ点灯時に累積点灯時間をリセットする。
【０１１３】
なお、所定の時間とは、例えば１０分程度の時間を表し、ランプフィラメントなし状態の累積時間を不揮発性メモリに記録することにより、途中で電源をＯＦＦされた場合でも、次回ＯＮ時に累積してカウントすることができる。
【図面の簡単な説明】
【０１１４】
【図１】実施の形態１における放電灯点灯装置１００の全体構成回路を示す全体構成回路図である。
【図２】実施の形態１における放電灯点灯装置１００の詳細回路図である。
【図３】放電灯点灯装置１００におけるマイクロコンピュータ６のハードウェア構成を示す図である。
【図４】実施の形態１に係る放電灯点灯装置１００の機能ブロック図を示す図である。
【図５】実施の形態１に係る放電灯点灯方法の処理を示すフロー図である。
【図６】実施の形態２に係る放電灯点灯装置１００の機能ブロック図を示す図である。
【図７】実施の形態２に係る放電灯点灯方法の処理を示すフロー図である。
【図８】実施の形態２における放電灯点灯装置１００の動作を示す詳細フロー図である。
【図９】実施の形態２における放電灯点灯装置１００の動作を示す詳細フロー図である。
【符号の説明】
【０１１５】
１  電源整流回路、２  アクティブフィルタ回路、３  インバータ回路、４  負荷回路、５  ドライブ回路、６  マイクロコンピュータ、７，８  制御電源回路、１１  コンデンサ、１２  ランプ、１３  保護検出回路、１４  フィラメント検出回路、２０  不揮発性メモリ、６１  正常異常信号検出処理部、６２  フィラメント検出処理部、６３  累積点灯時間リセット処理部、６４  フィラメント無し時間カウント部、９３  正常異常検出信号、９６  フィラメント有無信号、２０１  状態情報、２０２  累積点灯時間、２０３  累積フィラメント無し時間、２０４  リセット指示情報。
【図１】
0004675250.tif 000002
【図２】
0004675250.tif 000003
【図３】
0004675250.tif 000004
【図４】
0004675250.tif 000005
【図５】
0004675250.tif 000006
【図６】
0004675250.tif 000007
【図７】
0004675250.tif 000008
【図８】
0004675250.tif 000009
【図９】
0004675250.tif 000010